【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
多重導波管光学構造であって、前記多重導波管光学構造は、
各導波管を連続的に通過する光を捕捉するために積み重ねられた複数の導波管を備え、各導波管は、平面の異なる色および異なる深度に関連付けられており、各導波管は、
第１の接着層と、
第１の屈折率を有する基板と、
パターン化層と
を備え、
前記パターン化層は、前記第１の接着層が前記パターン化層と前記基板との間にあるように位置付けられ、前記第１の接着層は、前記パターン化層と前記基板との間の接着を提供し、前記パターン化層は、前記第１の屈折率より小さい第２の屈折率を有し、前記パターン化層は、回折格子を画定し、前記導波管に関連付けられた視野は、前記第１および前記第２の屈折率に基づく、多重導波管光学構造。
【請求項２】
各導波管は、第２の接着層をさらに備え、前記第２の接着層は、前記基板が前記第１の接着層と前記第２の接着層との間にあるように位置付けられている、請求項１に記載の多重導波管光学構造。
【請求項３】
前記複数の導波管の各導波管を接続し、位置付ける導波管支持部をさらに備え、各導波管の前記第１および第２の接着層のうちの少なくとも１つが、前記導波管支持部に接着している、請求項２に記載の多重導波管光学構造。
【請求項４】
各導波管は、前記基板と前記第２の接着層との間に位置付けられた反射防止層をさらに備えている、請求項２に記載の多重導波管光学構造。
【請求項５】
各導波管は、追加のパターン化層をさらに備え、前記追加のパターン化層は、前記第２の接着層が前記基板と前記追加のパターン化層との間に位置付けられるように位置付けられている、請求項２に記載の多重導波管光学構造。
【請求項６】
前記基板は、ガラスまたはサファイアから作製されている、請求項１に記載の多重導波管光学構造。
【請求項７】
各導波管の前記視野は、少なくとも５０度である、請求項１に記載の多重導波管光学構造。
【請求項８】
前記第２の屈折率は、約１．５であり、前記第１の屈折率は、少なくとも１．７である、請求項１に記載の多重導波管光学構造。
【請求項９】
前記パターン化層は、５０ナノメートルより小さい残留層厚を含む、請求項１に記載の多重導波管光学構造。
【請求項１０】
多重導波管光学構造であって、前記多重導波管光学構造は、
各導波管を連続的に通過する光を捕捉するために積み重ねられた複数の導波管を備え、各導波管は、平面の異なる色および異なる深度に関連付けられており、各導波管は、
第１の接着層と、
反射防止層と、
前記第１の接着層と前記反射防止層との間に位置付けられた基板であって、前記基板は、第１の屈折率を有する、基板と、
第１のパターン化層であって、前記第１のパターン化層は、前記第１の接着層が前記第１のパターン化層と前記基板との間にあるように位置付けられ、前記第１の接着層は、前記第１のパターン化層と前記基板との間の接着を提供し、前記第１のパターン化層は、前記第１の屈折率より小さい第２の屈折率を有し、前記第１のパターン化層は、回折格子を画定し、前記導波管に関連付けられた視野は、前記第１および前記第２の屈折率に基づく、第１のパターン化層と、
第２の接着層と、
第２のパターン化層と
を備え、
前記第２のパターン化層は、前記第２の接着層が前記反射防止層と前記第２のパターン化層との間にあるように位置付けられ、前記第２の接着層は、前記第２のパターン化層と前記反射防止層との間の接着を提供する、多重導波管光学構造。
【請求項１１】
前記基板は、ガラスまたはサファイアから作製されている、請求項１０に記載の多重導波管光学構造。
【請求項１２】
前記各導波管の視野は、少なくとも５０度である、請求項１０に記載の多重導波管光学構造。
【請求項１３】
前記第２の屈折率は、約１．５であり、前記第１の屈折率は、少なくとも１．７である、請求項１０に記載の多重導波管光学構造
【請求項１４】
前記第１のパターン化層は、５０ナノメートルより小さい残留層厚を含む、請求項１０に記載の多重導波管光学構造。
【請求項１５】
多重導波管光学構造であって、前記多重導波管光学構造は、
各導波管を連続的に通過する光を捕捉するために積み重ねられた複数の導波管を備え、各導波管は、平面の異なる色および異なる深度に関連付けられており、各導波管は、
第１の接着層と、
反射防止層と、
前記第１の接着層と前記反射防止層との間に位置付けられた基板であって、前記基板は、第１の屈折率を有する、基板と、
パターン化層であって、前記パターン化層は、前記第１の接着層が前記パターン化層と前記基板との間にあるように位置付けられ、前記第１の接着層は、前記パターン化層と前記基板との間の接着を提供し、前記パターン化層は、前記第１の屈折率より小さい第２の屈折率を有し、前記パターン化層は、回折格子を画定し、前記導波管に関連付けられた視野は、前記第１および前記第２の屈折率に基づく、パターン化層と、
第２の接着層であって、前記第２の接着層は、前記反射防止層が前記第２の接着層と前記基板との間にあるように位置付けられている、第２の接着層と、
前記複数の導波管の各導波管を接続し、位置付ける導波管支持部と
を備え、
各導波管の前記第１および第２の接着層のうちの少なくとも１つが、前記導波管支持部に接着している、多重導波管光学構造。
【請求項１６】
前記基板は、ガラスまたはサファイアから作製されている、請求項１５に記載の多重導波管光学構造。
【請求項１７】
前記各導波管の視野は、少なくとも５０度である、請求項１５に記載の多重導波管光学構造。
【請求項１８】
前記第２の屈折率は、約１．５であり、前記第１の屈折率は、少なくとも１．７である、請求項１５に記載の多重導波管光学構造。
【請求項１９】
前記第１のパターン化層は、５０ナノメートルより小さい残留層厚を含む、請求項１５に記載の多重導波管光学構造。
【請求項２０】
前記第１のパターン化層の少なくとも一部は、残留層を含まない、請求項１５に記載の多重導波管光学構造。
【手続補正２】
【補正対象書類名】明細書
【補正対象項目名】０００９
【補正方法】変更
【補正の内容】
【０００９】
本明細書に説明される主題の１つ以上の実施形態の詳細が、添付図面および下記の説明に記載される。本主題の他の潜在的特徴、側面、および利点も、説明、図面、ならびに請求項から明白となるであろう。
本願明細書は、例えば、以下の項目も提供する。
（項目１）
多重導波管光学構造であって、前記多重導波管光学構造は、
各導波管を連続的に通過する光を捕捉するために積み重ねられた複数の導波管を備え、各導波管は、平面の異なる色および異なる深度に関連付けられており、各導波管は、
第１の接着層と、
第１の屈折率を有する基板と、
パターン化層と
を備え、
前記パターン化層は、前記第１の接着層が前記パターン化層と前記基板との間にあるように位置付けられ、前記第１の接着層は、前記パターン化層と前記基板との間の接着を提供し、前記パターン化層は、前記第１の屈折率より小さい第２の屈折率を有し、前記パターン化層は、回折格子を画定し、前記導波管に関連付けられた視野は、前記第１および前記第２の屈折率に基づく、多重導波管光学構造。
（項目２）
各導波管は、第２の接着層をさらに備え、前記第２の接着層は、前記基板が前記第１の接着層と前記第２の接着層との間にあるように位置付けられている、項目１に記載の多重導波管光学構造。
（項目３）
前記複数の導波管の各々を接続し、位置付ける導波管支持部をさらに備え、各導波管の前記第１および第２の接着層のうちの少なくとも１つが、前記導波管支持部に接着している、項目２に記載の多重導波管光学構造。
（項目４）
各導波管は、前記基板と前記第２の接着層との間に位置付けられた反射防止層をさらに備えている、項目２に記載の多重導波管光学構造。
（項目５）
各導波管は、追加のパターン化層をさらに備え、前記追加のパターン化層は、前記第２の接着層が前記基板と前記追加のパターン化層との間に位置付けられるように位置付けられている、項目２に記載の多重導波管光学構造。
（項目６）
前記基板は、ガラスまたはサファイアから作製されている、項目１に記載の多重導波管光学構造。
（項目７）
各導波管の前記視野は、少なくとも５０度である、項目１に記載の多重導波管光学構造。
（項目８）
前記第１の屈折率は、約１．５であり、前記第２の屈折率は、少なくとも１．７である、項目１に記載の多重導波管光学構造。
（項目９）
前記パターン化層は、５０ナノメートルより小さい残留層厚を含む、項目１に記載の多重導波管光学構造。
（項目１０）
多重導波管光学構造であって、前記多重導波管光学構造は、
各導波管を連続的に通過する光を捕捉するために積み重ねられた複数の導波管を備え、各導波管は、平面の異なる色および異なる深度に関連付けられており、各導波管は、
第１の接着層と、
反射防止層と、
前記第１の接着層と前記反射防止層との間に位置付けられた基板であって、前記基板は、第１の屈折率を有する、基板と、
第１のパターン化層であって、前記第１のパターン化層は、前記第１の接着層が前記第１のパターン化層と前記基板との間にあるように位置付けられ、前記第１の接着層は、前記第１のパターン化層と前記基板との間の接着を提供し、前記第１のパターン化層は、前記第１の屈折率より小さい第２の屈折率を有し、前記第１のパターン化層は、回折格子を画定し、前記導波管に関連付けられた視野は、前記第１および前記第２の屈折率に基づく、第１のパターン化層と、
第２の接着層と、
第２のパターン化層と
を備え、
前記第２のパターン化層は、前記第２の接着層が前記反射防止層と前記第２のパターン化層との間にあるように位置付けられ、前記第２の接着層は、前記第２のパターン化層と前記反射防止層との間の接着を提供する、多重導波管光学構造。
（項目１１）
前記基板は、ガラスまたはサファイアから作製されている、項目１０に記載の多重導波管光学構造。
（項目１２）
前記各導波管の視野は、少なくとも５０度である、項目１０に記載の多重導波管光学構造。
（項目１３）
前記第１の屈折率は、約１．５であり、前記第２の屈折率は、少なくとも１．７である、項目１０に記載の多重導波管光学構造
（項目１４）
前記第１のパターン化層は、５０ナノメートルより小さい残留層厚を含む、項目１０に記載の多重導波管光学構造。
（項目１５）
多重導波管光学構造であって、前記多重導波管光学構造は、
各導波管を連続的に通過する光を捕捉するために積み重ねられた複数の導波管を備え、各導波管は、平面の異なる色および異なる深度に関連付けられており、各導波管は、
第１の接着層と、
反射防止層と、
前記第１の接着層と前記反射防止層との間に位置付けられた基板であって、前記基板は、第１の屈折率を有する、基板と、
パターン化層であって、前記パターン化層は、前記第１の接着層が前記パターン化層と前記基板との間にあるように位置付けられ、前記第１の接着層は、前記パターン化層と前記基板との間の接着を提供し、前記パターン化層は、前記第１の屈折率より小さい第２の屈折率を有し、前記パターン化層は、回折格子を画定し、前記導波管に関連付けられた視野は、前記第１および前記第２の屈折率に基づく、パターン化層と、
第２の接着層であって、前記第２の接着層は、前記反射防止層が前記第２の接着層と前記基板との間にあるように位置付けられている、第２の接着層と、
前記複数の導波管の各々を接続し、位置付ける導波管支持部と
を備え、
各導波管の前記第１および第２の接着層のうちの少なくとも１つが、前記導波管支持部に接着している、多重導波管光学構造。
（項目１６）
前記基板は、ガラスまたはサファイアから作製されている、項目１５に記載の多重導波管光学構造。
（項目１７）
前記各導波管の視野は、少なくとも５０度である、項目１５に記載の多重導波管光学構造。
（項目１８）
前記第１の屈折率は、約１．５であり、前記第２の屈折率は、少なくとも１．７である、項目１５に記載の多重導波管光学構造。
（項目１９）
前記第１のパターン化層は、５０ナノメートルより小さい残留層厚を含む、項目１５に記載の多重導波管光学構造。
（項目２０）
前記第１のパターン化層の少なくとも一部は、残留層を含まない、項目１５に記載の多重導波管光学構造。